(57)【要約】      （修正有）【課題】本発明の解決しようとする課題は、２つの物品を保持して、高い安定性と運搬性を発揮し、さらに展示効果にも優れたシュリンク台紙を提案するものである。【解決手段】胴部３１と胴部よりも細い首部３２を有するボトル状の物品３０を２つ固定するためのシュリンク台紙１であって、物品を挿入して固定するための筒状のシュリンクフィルム１６を備えた２枚の台紙を背中合わせに貼り合わせた台紙本体部２と、前記２枚の台紙を本体部より上に延設して逆三角形状に成形し、天面部６を形成した持ち手部分３とを有し、持ち手部分３には、前記ボトル状の物品３０の首部３２を収納する切り欠き窓８を有することを特徴とするシュリンク台紙である。【選択図】図２
2018135127.tif 000002
【特許請求の範囲】
【請求項１】
胴部と胴部よりも細い首部を有するボトル状の物品を２つ固定するためのシュリンク台紙であって、物品を挿入して固定するための筒状のシュリンクフィルムを備えた２枚の台紙を背中合わせに貼り合わせた台紙本体部と、前記２枚の台紙を本体部より上に延設して逆三角形状に成形し、天面部を形成した持ち手部分とを有し、前記持ち手部分には、前記ボトル状の物品の首部を収納する切り欠き窓を有することを特徴とするシュリンク台紙。
【請求項２】
前記シュリンク台紙は、１枚のブランクから構成されており、台紙本体部の垂直な１辺を折罫線として、これを介して前記２枚の台紙が連設されていることを特徴とする請求項１に記載のシュリンク台紙。
【請求項３】
前記シュリンク台紙は、１枚のブランクから構成されており、前記２枚の台紙は、前記持ち手部分を中心にして折罫線を介して連設されていることを特徴とする請求項１に記載のシュリンク台紙。
【請求項４】
前記持ち手部分には、天面部の左右両側に折罫線を介してフラップが延設されていることを特徴とする請求項１〜３のいずれか１項に記載のシュリンク台紙。
【発明の詳細な説明】
【技術分野】
【０００１】
本発明は、加熱によって収縮するシュリンクフィルムによって、物品を固定して販売するためのシュリンク台紙に関し、特に２本のボトル状の物品を固定して、展示することができ、さらに持ち運びにも便利なシュリンク台紙に関する。
【背景技術】
【０００２】
シュリンク台紙は、厚紙の台紙に円筒状のシュリンクフィルムを固定し、筒の中に物品を挿入してフィルムを加熱収縮させることにより、台紙に物品を固定して販売の用に供するものであり、さまざまな形態のものが用いられている。
【０００３】
通常は、１枚の台紙に１つの製品を固定するものが一般的であるが、２以上の物品を固定するものの例として、特許文献１に記載された包装体がある。
【０００４】
特許文献１に記載された包装体は、台材と、台材に接合された収縮性を有する筒状フィルムと、前記筒状フィルムによって少なくとも一部が覆われた被包装物とを備える包装体であって、２つの被包装物および２つの筒状フィルムを備えており、前記台材は、２つの筒状フィルムが各別に接合され、かつ２つの被包装物が位置する側においてなす角が１８０°より大である２つの保持面を有することを特徴とする包装体である。
【０００５】
特許文献１に記載された包装体は、台材をアングル状に曲げることにより、２つの物品を極めて小さい台材で無駄なく固定することができるものである。
【先行技術文献】
【特許文献】
【０００６】
【特許文献１】特開２０１５−１４０２０８号公報
【発明の概要】
【発明が解決しようとする課題】
【０００７】
特許文献１に記載されたシュリンク台紙は、２つの物品を効率よく固定できるものではあるが、運搬性や展示効果については、考慮されておらず、特にある程度重量のある物品の場合の安定性や運搬性において問題があった。本発明の解決しようとする課題は、２つの物品を保持して、高い安定性と運搬性を発揮し、さらに展示効果にも優れたシュリンク台紙を提案するものである。
【課題を解決するための手段】
【０００８】
上記の課題を解決するための手段として、請求項１に記載の発明は、胴部と胴部よりも細い首部を有するボトル状の物品を２つ固定するためのシュリンク台紙であって、物品を挿入して固定するための筒状のシュリンクフィルムを備えた２枚の台紙を背中合わせに貼り合わせた台紙本体部と、前記２枚の台紙を本体部より上に延設して逆三角形状に成形し、天面部を形成した持ち手部分とを有し、前記持ち手部分には、前記ボトル状の物品の首部を収納する切り欠き窓を有することを特徴とするシュリンク台紙である。
【０００９】
本発明に係るシュリンク台紙は、２枚の台紙を背中合わせに貼り合わせた台紙本体部を有するため、強度が高く、重量のある物品にも対応することができる一方、２枚の台紙を本体部より上に延設して逆三角形状に成形し、天面部を形成した持ち手部分を有するので、この持ち手部分を持って運搬することができる。
【００１０】
請求項２に記載の発明は、前記シュリンク台紙が、１枚のブランクから構成されており、台紙本体部の垂直な１辺を折罫線として、これを介して前記２枚の台紙が連設されていることを特徴とする請求項１に記載のシュリンク台紙である。
【００１１】
また、請求項３に記載の発明は、前記シュリンク台紙が、１枚のブランクから構成されており、前記２枚の台紙は、前記持ち手部分を中心にして折罫線を介して連設されていることを特徴とする請求項１に記載のシュリンク台紙である。
【００１２】
また、請求項４に記載の発明は、前記持ち手部分に、天面部の左右両側に折罫線を介してフラップが延設されていることを特徴とする請求項１〜３のいずれか１項に記載のシュリンク台紙である。
【発明の効果】
【００１３】
本発明に係るシュリンク台紙は、２枚の台紙を背中合わせに貼り合わせた台紙本体部を有するので、強度が高く、重量のある物品にも対応することができる。
【００１４】
また、２枚の台紙を本体部より上に延設して逆三角形状に成形し、天面部を形成した持ち手部分とを有し、持ち手部分には、前記ボトル状の物品の首部を収納する切り欠き窓を有するので、持ち運びの際にはこの切り欠き窓に指を入れて安全にまた確実に持ち運ぶことができる。
【００１５】
請求項２に記載の構成によれば、１枚のブランクから成形することができるため、印刷、打抜き、成形の工程が円滑にできる。
【００１６】
また、請求項３に記載の構成によれば、同様に１枚のブランクから成形することができる事に加えて、持ち手部分における接着工程を省略することができる。
【００１７】
また、請求項４に記載の構成によれば、天面部に設けたフラップを折り曲げることにより、展示効果を高めることができるばかりでなく、天面部の形状維持性が高まる。
【図面の簡単な説明】
【００１８】
【図１】図１は、本発明に係るシュリンク台紙の一実施態様を示した斜視図である。
【図２】図２は、本発明に係るシュリンク台紙に２本のボトルを固定した状態を示した斜視図である。
【図３】図３は、図２の状態から、シュリンク台紙の持ち手部分を引き上げて、運搬できるようにした状態を示した斜視図である。
【図４】図４は、図１に示したシュリンク台紙のブランクを表面側から見た状態を示した平面説明図であり、図中、点線は山折罫線を、一点鎖線は谷折罫線を示す。
【図５】図５は、本発明に係るシュリンク台紙の他の実施態様におけるブランクを表面側から見た状態を示した平面説明図であり、図中、点線は山折罫線を、一点鎖線は谷折罫線を示す。
【発明を実施するための形態】
【００１９】
以下、図面を参照しながら、本発明に係るシュリンク台紙について詳細に説明する。図１は、本発明に係るシュリンク台紙１の一実施態様を示した斜視図である。図２は、本発
明に係るシュリンク台紙１に２本のボトル３０を固定した状態を示した斜視図である。また、図３は、図２の状態から、シュリンク台紙１の持ち手部分３を引き上げて、運搬できるようにした状態を示した斜視図である。また、図４は、図１に示したシュリンク台紙１のブランク２０を表面側から見た状態を示した平面説明図であり、図中、点線は山折罫線を、一点鎖線は谷折罫線を示している。
【００２０】
本発明に係るシュリンク台紙１は、図２に示したように、胴部３１と胴部３１よりも細い首部３２を有するボトル状の物品３０を２つ固定するためのシュリンク台紙である。シュリンク台紙１は、物品を挿入して固定するための筒状のシュリンクフィルム１６を備えた２枚の台紙（Ａ面台紙４、Ｂ面台紙５）を背中合わせに貼り合わせた台紙本体部２と、前記２枚の台紙を本体部より上に延設して逆三角形状に成形し、天面部６を形成した持ち手部分３とを有する。持ち手部分３には、前記ボトル状の物品３０の首部３２を収納する切り欠き窓８を有することを特徴とする。  
【００２１】
本発明に係るシュリンク台紙１は、２枚の台紙を背中合わせに貼り合わせた構造を有するため、十分な強度を有し、重量のある物品にも対応することができる。
【００２２】
また、２枚の台紙を本体部より上に延設して逆三角形状に成形した天面部６を有するため、この天面部に印刷を施すことにより外観的にも優位性を発揮することができ、店頭における展示効果が期待できる。
【００２３】
また本発明に係るシュリンク台紙１は、図３に示したように、持ち手部分３の天面部６の中心に設けた折罫線１３を山折にして上に引き上げることにより、切り欠き窓８に指を挿入して持つことができる。持ち手部分３は、台紙本体部２から折罫線１１を介して延設された一つながりのブランクから形成されているので、強度的にも十分であり、ある程度重量のあるボトルでも保持することができる。
【００２４】
また、持ち手部分３を上に引き上げると、ボトル３０の首部３２を収納するための切り欠き窓８が、そのまま指を入れる持ち手となるので、手で持ち易く、運搬に便利である。
【００２５】
図１〜４に示した実施態様においては、天面部６に折罫線１２を介して、フラップ１０が連設されている。フラップ１０が設けられていることにより、店頭における展示効果が高まるばかりでなく、天面部６の平面性を保持する効果も発揮する。
【００２６】
図４は、図１に示したシュリンク台紙１のブランク２０を表面側から見た状態を示した平面説明図である。図中、点線は山折罫線を、一点鎖線は谷折罫線を示している。Ａ面台紙４とＢ面台紙５の２枚の台紙は、台紙本体部の垂直な一辺を折罫線１５とし、これを介して連設されており、この折罫線１５を１８０°山折りして背中合わせにし、接着することにより台紙本体部２が形成される。
【００２７】
Ａ面台紙４とＢ面台紙５は、折罫線１１、１１´を介してそれぞれ斜面部７、７´を連設しており、斜面部７は、折罫線１４を介して天面部６を連設し、斜面部７´は、折罫線１４´を介して糊代９を連設している。
【００２８】
Ａ面台紙４とＢ面台紙５には、加熱によって収縮する熱収縮性のプラスチックフィルムの筒であるシュリンクフィルム１６がそれぞれ接着部１７によって接着されている。
【００２９】
ブランク２０の状態から、折罫線１４、１４´を山折りして、折罫線１１、１１´を谷折りし、折罫線１５を１８０°山折りして糊代９を天面部６の裏面に接着し、Ａ面台紙４とＢ面台紙５を背中合わせに接着し、さらに折罫線１２を山折すると図１に示したような
状態のシュリンク台紙１が完成する。
【００３０】
この例では、Ａ面台紙４とＢ面台紙５が折罫線１５を介して連設されているが、折罫線１５に相当する部分が切断された２枚のブランクであっても、同様に組み立てることができる。
【００３１】
図５は、本発明に係るシュリンク台紙１の他の実施態様におけるブランク２０を表面側から見た状態を示した平面説明図である。図４と同様に、点線は山折罫線を、一点鎖線は谷折罫線を示している。この例では、Ａ面台紙４から折罫線１１を介して斜面部７が連設されており、折罫線１４を介して天面部６が連設され、さらに折罫線１４´を介して斜面部７´、さらに折罫線１１´を介してＢ面台紙５が連設されている。
【００３２】
この例では、一つながりの１枚の細長いブランクの台紙部分のみを背中合わせに接着するだけで良く、天面部には接着部分が存在しない。このように、本発明に係るシュリンク台紙は、ブランク形状には限定されず、台紙本体部と、台紙本体部から上部に延設された逆三角形状の持ち手部分を有することを特徴としている。
【００３３】
本発明に係るシュリンク台紙は、目的とするボトルの形状や大きさに応じて台紙本体部や斜面部、天面部の寸法を最適に設計することにより、さまざまなボトルに応用することができる。
【符号の説明】
【００３４】
１・・・シュリンク台紙
２・・・台紙本体部
３・・・持ち手部分
４・・・Ａ面台紙
５・・・Ｂ面台紙
６・・・天面部
７、７´・・・斜面部
８・・・切り欠き部
９・・・糊代
１０・・・フラップ
１１、１１´・・・折罫線
１２・・・折罫線
１３・・・折罫線
１４、１４´・・・折罫線
１５・・・折罫線
１６・・・シュリンクフィルム
１７・・・接着部
２０・・・ブランク
３０・・・ボトル状の物品
３１・・・胴部
３２・・・首部
【図１】
2018135127.tif 000003
【図２】
2018135127.tif 000004
【図３】
2018135127.tif 000005
【図４】
2018135127.tif 000006
【図５】
2018135127.tif 000007